(57)【要約】【課題】上下を除くとどの方向から、例えば正面から見ても、あるいは横から見ても略同じ形に見えると共に同じ輝きを示す、宝石を両面の全面に散りばめたペンダントヘッドを有するペンダントを提供する。【解決手段】厚さが０.５〜３ｍｍである同一形状の板状体３枚が、各一辺で互いに１２０度の接合角で接合してなるペンダントヘッド基台における、各板状体の全面に設けられた複数の貫通孔に、クラウン部とキューレット部を有する宝石が、隣接する該宝石のクラウン部とキューレット部が互い違いになるように挿嵌され、かつクラウン部が挿嵌される側に残り、キューレット部が、挿嵌される側の反対面に突出してなるペンダントヘッドを有することを特徴とするペンダントである。【選択図】図４
2011083537.tif 000002
【特許請求の範囲】
【請求項１】
厚さが０.５〜３ｍｍである同一形状の板状体３枚が、各一辺で互いに１２０度の接合角で接合してなるペンダントヘッド基台における、各板状体の全面に設けられた複数の貫通孔に、クラウン部とキューレット部を有する宝石が、隣接する該宝石のクラウン部とキューレット部が互い違いになるように挿嵌され、かつクラウン部が挿嵌される側に残り、キューレット部が、挿嵌される側の反対面に突出してなるペンダントヘッドを有することを特徴とするペンダント。
【請求項２】
ペンダントヘッド基台における板状体に挿嵌される宝石が、ダイヤモンドである、請求項１に記載のペンダント。
【請求項３】
ネックレス用である、請求項１又は２に記載のペンダント。
【請求項４】
ペンダントヘッド基台における板状体が、十字架形状体の垂直方向半分割体である、請求項１〜３のいずれかに記載のペンダント。
【請求項５】
ペンダントヘッド基台における板状体が、ハート型形状体の垂直方向半分割体である、請求項１〜３のいずれかに記載のペンダント。
【発明の詳細な説明】
【技術分野】
【０００１】
本発明はペンダントに関し、さらに詳しくは、同一形状の板状体３枚が、各一辺で互いに１２０度の接合角で接合してなるペンダントヘッド基台の上記各板状体の両面全面に、宝石が散りばめられてなる、上下を除くとどの方向から、例えば正面から見ても、あるいは横から見ても略同じ形状に見えると共に、同じ輝きを示すペンダントヘッドを有するペンダントに関するものである。
【背景技術】
【０００２】
ペンダントは、ぶら下がった装飾品を指し、例えばネックレスやイヤリングなどに、ペンダントヘッドと呼ばれる飾りがぶら下がったネックレス・ペンダントや、イヤリング・ペンダントが、装飾品としてよく用いられている。また、最近ではブレスレットチャーム、携帯電話のストラップ、キーホルダーなどにもペンダントが用いられている。
ネックレス・ペンダントにおいて、前記ペンダントヘッドが、一つの大きな宝石でなく、複数の小さな宝石をペンダントヘッド基台に固定したものである場合、一般に該ペンダントヘッド基台の前面側に、宝石固定用の複数の凹部を設け、それに宝石を固定することが行われる。
前記ペンダントヘッド基台の形状としては種々のものがあり、例えば十字架形状体、ハート型板状体、さらには円形状、長円形状、長方形状などの板状体等を挙げることができる。また、素材としては、ゴールド、ホワイトゴールド、プラチナなどの金属が用いられる。
このようなペンダントヘッド基台の前面側に複数の宝石が固定されるので、ネックレス・ペンダントとして装着した場合、ペンダントヘッドの宝石固定側が、前面に向くように、ペンダントの鎖に固定されている。すなわち、正面からは宝石の輝きが見れるが、横からでは見えないことになる。
例えば、特許文献１には、ハート形、十字形、楕円形等の所定の外形を有する金属製あるいはプラスチック製の台座の表面に所定形状の凹部を形成すると共に、該凹部の底面に白色層を設けてペンダント用基台を形成し、かつ該ペンダント用基台の凹部に青、赤、黄等の所望の塗料を充填し、さらに該凹部に充填された塗料の中に多数の小さな宝石、ガラス、セラミック、プラスチック等の装飾玉の下部を埋設固定して構成したことを特徴とする装飾ペンダントが開示されている。この装飾ペンダントは、図１で分かるように、十字架状のペンダントヘッドは、前面側に装飾玉が埋設固定され、該ペンダントヘッドが動かないように、鎖部に係止されている。したがって横からでは、装飾玉の輝きは、見られない。
【先行技術文献】
【特許文献】
【０００３】
【特許文献１】実用新案登録第３１１３２１９号公報
【発明の概要】
【発明が解決しようとする課題】
【０００４】
本発明は、このような事情のもとで、上下を除くとどの方向から、例えば正面から見ても、あるいは横から見ても略同じ形に見えると共に同じ輝きを示す、宝石を両面の全面に散りばめたペンダントヘッドを有するペンダントを提供することを目的とするものである。
【課題を解決するための手段】
【０００５】
本発明者は、前記目的を達成するために鋭意研究を重ねた結果、特定の厚さを有する同一形状の板状体３枚が、各一辺で互いに１２０度の接合角で接合してなるペンダントヘッド基台における、各板状体の全面に設けられた複数の貫通孔に、クラウン部とキューレット部を有する宝石を、隣接する宝石のクラウン部とキューレット部が互い違いになるように挿嵌してなるペンダントヘッドを有するペンダントにより、その目的を達成し得ることを見出し、この知見に基づいて本発明を完成するに至った。
すなわち、本発明は、
（１）厚さが０.５〜３ｍｍである同一形状の板状体３枚が、各一辺で互いに１２０度の接合角で接合してなるペンダントヘッド基台における、各板状体の全面に設けられた複数の貫通孔に、クラウン部とキューレット部を有する宝石が、隣接する該宝石のクラウン部とキューレット部が互い違いになるように挿嵌され、かつクラウン部が挿嵌される側に残り、キューレット部が、挿嵌される側の反対面に突出してなるペンダントヘッドを有することを特徴とするペンダント、
（２）ペンダントヘッド基台における板状体に挿嵌される宝石が、ダイヤモンドである、上記(１)項に記載のペンダント、
（３）ネックレス用である、上記(１)又は(２)項に記載のペンダント、
（４）ペンダントヘッド基台における板状体が、十字架形状体の垂直方向半分割体である、上記(１)〜(３)項のいずれかに記載のペンダント、及び
（５）ペンダントヘッド基台における板状体が、ハート型形状体の垂直方向半分割体である、上記(１)〜(３)項のいずれかに記載のペンダント、
を提供するものである。
【発明の効果】
【０００６】
本発明によれば、同一形状の板状体３枚が、各一辺で互いに１２０度の接合角で接合してなるペンダントヘッド基台の上記各板状体の両面全面に、宝石が散りばめられてなる、上下を除くとどの方向から、例えば正面から見ても、あるいは横から見ても略同じ形に見えると共に、同じ輝きを示すペンダントヘッドを有するペンダントを提供することができる。
【図面の簡単な説明】
【０００７】
【図１−ａ】同一形状の板状体が、十字架形状体の垂直方向半分割体である場合の一例を示す側面図である。
【図１−ｂ】図１−ａにおける十字架形状体の斜視図である。
【図２】同一形状の板状体が、ハート型形状体の垂直方向半分割体である場合の一例を示す側面図である。
【図３】同一形状の板状体が、空間部を有するハート型形状体の垂直方向半分割体である場合の一例を示す側面図である。
【図４】本発明に係るペンダントヘッドに用いられるペンダントヘッド基台の下方から見た一例を示す図である。
【図５】実施例で用いた十字架形状体の垂直方向半分割体の形状及び寸法を示す側面図である。
【図６】実施例で用いた十字架形状体の斜視図である。
【発明を実施するための形態】
【０００８】
本発明のペンダントは、下記で説明する構造を有するペンダントヘッド基台における、各板状体の全面に設けられた複数の貫通孔に、クラウン部とキューレット部を有する宝石が、隣接する該宝石のクラウン部とキューレット部が互い違いになるように挿嵌され、かつクラウン部が挿嵌される側に残り、キューレット部が、挿嵌される側の反対面に突出してなるペンダントヘッドを有することを特徴とする。
【０００９】
［ペンダントヘッド基台］
本発明のペンダントに用いられるペンダントヘッド基台は、厚さが０.５〜３ｍｍの範囲にある同一形状の板状体３枚が、各一辺で互いに１２０度の接合角で接合してなるものである。前記同一形状の板状体の厚さは薄ければ薄いほど、例えば板状体の厚さが見える側からペンダントヘッド基台を見た場合（図４の上方から見た場合）、該板状体の厚さが殆ど目立たなくなり、本発明の目的が達せられるが、０.５ｍｍ未満では石を留める加工が困難となる。一方３ｍｍを超えると、該板状体の厚さが目立って、所定の形状が分割されて、ペンダントの外観が損なわれ、本発明の目的が達せられない。
前記板状体の形状としては特に制限はなく、例えば十字架形状体、ハート型形状体、円型形状体、長円型形状体、長方形型形状体、六角形型形状体、雪の結晶型形状体などの各形状体の垂直方向半分割体を挙げることができる。これらの中で、十字架形状体及びハート型形状体の垂直方向半分割体が好ましい。
図１−ａは、同一形状の板状体が、図１−ｂの斜視図で示される基本形状の十字架形状体の垂直方向半分割体である場合の一例を示す側面図、図２は、同一形状の板状体が、ハート型形状体の垂直方向半分割体である場合の一例を示す側面図、図３は、同一形状の板状体が、空間部を有するハート型形状体の垂直方向半分割体である場合の一例を示す側面図、図４は、本発明に係るペンダントヘッドに用いられるペンダントヘッド基台の下方から見た一例を示す図である。
【００１０】
当該ペンダントヘッド基台の材質としては特に制限はなく、従来ペンダントヘッド基台に用いられているものの中から、任意のものを適宜選択して使用することができる。例えばプラチナ（Ｐｔ１０００）、プラチナとパラジウムの合金（Ｐｔ９５０、Ｐｔ９００、Ｐｔ８５０）；ゴールド（Ｋ１８）；Ｋ１８のカラーバリエーションであるイエローゴールド、レッドゴールド、ピンクゴールド、グリーンゴールド、ホワイトゴールド；などを用いることができる。
【００１１】
［ペンダントヘッド］
本発明のペンダントに用いられるペンダントヘッドは、前述したペンダントヘッド基台における、各板状体の全面に設けられた複数の貫通孔に、クラウン部とキューレット部を有する宝石が、隣接する該宝石のクラウン部とキューレット部が互い違いになるように挿嵌され、かつクラウン部が挿嵌される側に残り、キューレット部が挿嵌される側の反対面に突出してなる構造を有している。
貫通孔に挿嵌される宝石としては、クラウン部とキューレット部を有する宝石が用いられ、かつそのクラウン部先端と、キューレット部先端との間の長さが、ペンダントヘッド基台に使用されている板状体の厚さよりも長いものが用いられる。
また、各板状体の全面に設けられた貫通孔の直径は、前記のようなクラウン部とキューレット部を有する宝石を該貫通孔に挿嵌した場合、クラウン部が挿嵌する側に残り、キューレット部が、挿嵌される側の反対面に突出するような値であることが望ましい。キューレット部が板状体から出ていると、光が板状体の表裏両面から入るので、輝きが増す効果が発揮される。
【００１２】
前記貫通孔に挿嵌される宝石の種類としては、クラウン部とキューレット部が形成するようにカットし得るものであればよく、特に制限されず、例えばダイヤモンド、ルビー、サファイア、エメラルド、アクアマリン、スピネル、ジルコン、オパール、ヒスイ、アメジスト、トルコ石、ガーネット、真珠、琥珀などのほか、各種の人造宝石、構造宝石などを挙げることができる。これらの中でダイヤモンドが好適である。
クラウン部とキューレット部を形成するカットとしては、例えばブリリアンカットが知られている。
キューレット部は、ブリリアンカットのパビリオンの先端の尖った部分の破損を避けるために横に小さなファセット面を取った部分を指す。キューレット部が大きいと黒い穴のように見えるオープン・キューレットとなり、小さすぎるか、キューレット部がないと欠けやすくなる。
クラウン部は、研摩されたブリリアンカットの宝石のガードルから上の部分を指す。
【００１３】
このようにしてカットされ、クラウン部とキューレット部を有する宝石を、各板状体の全面に設けられた貫通孔に、クラウン部とキューレット部が互い違いになるように挿嵌するということは、例えば各板状体の一方の面を表側、他方の面を裏側とすると、まず表側から当該宝石を、表側にクラウン部が残り、裏側にキューレット部が突出するように挿嵌し、次に、裏側から当該宝石を、裏側にクラウン部が残り、表側にキューレット部が突出するように挿嵌する。この操作を順次繰り返し行うことで、各板状体の両面全面に宝石を散りばめた状態となり、かつ各板状体の表側と裏側は同一の宝石の輝きを示すようになると共に、３枚の板状体とも同じ輝きを示す。
宝石として、ダイヤモンドを用いる場合、ＩＰＳ０.００３〜０.５０カラット程度のメレーが用いられる。
【００１４】
ネックレス・ペンダントを所望する場合、鎖に係止具を用いて前記のペンダントヘッドをぶら下げてペンダントとする。
本発明のペンダントに用いる前記ペンダントヘッドは、上下を除くどの方向から、例えば正面から見ても、あるいは横から見ても略同じ形にかつ同じ輝きに見えるので、該係止具を用いてペンダントヘッドが動かないように固定する必要はなく、ペンダントヘッドがくるくる回るように係止してもよい。
ペンダントヘッドをぶら下げる鎖の材質としては、特に制限はないが、ネックレス・ペンダント用やイヤリング・ペンダント用では、前述のペンダントヘッド基台の材質について説明した同じものを用いることができる。
本発明のペンダントは、前記ネックレス・ペンダントやイヤリング・ペンダント以外に、例えばブレスレットのチャーム、携帯電話のストラップ、キーホルダーなどに用いることができる。
【実施例】
【００１５】
次に、本発明を実施例により、さらに詳細に説明するが、本発明は、この例によってなんら限定されるものではない。
実施例１
プラチナとパラジウムの合金であるＰｔ９００を用いて、図５に示す形状、寸法を有する十字架形状体の垂直方向半分割体（厚さ２ｍｍの板状体）の３枚が、各一辺で互いに１２０度の接合角で接合してなるペンダントヘッド基台を作製した。この基台の下方から見た図は図４と同じである。次いで、前記ペンダントヘッド基台における各板状体の全面に、径１.５ｍｍの複数の貫通孔を設けた。
次に前記貫通孔に、ブリリアンカットされ、クラウン部及びキューレット部を有するダイヤモンド（メレー：０.０１５カラット、クラウン部先端とキューレット部先端との間の長さは１.０ｍｍである）を、下記のようにして挿嵌した。
各板状体の一方の面を表側、他方の面を裏側とすると、まず表側から当該ダイヤモンドを、表側にクラウン部が残り、裏側にキューレット部が突出するように挿嵌し、次に、裏側から当該ダイヤモンドを、裏側にクラウン部が残り、表側にキューレット部が突出するように挿嵌した。この操作を順次繰り返し行うことにより、隣接する該ダイヤモンドが、クラウン部とキューレット部が互い違いになるように固定された。
このようにして得られたペンダントヘッドは、３枚の板状体の両面全面に宝石を散りばめた状態となり、かつ各板状体の表側と裏側は同一のダイヤモンドの輝きを示すようになると共に、図６の斜視図に示すように３枚の板状体とも同じ輝きを示した。
次に、プラチナとパラジウムの合金であるＰｔ９００を用いて作製した鎖に、前記ペンダントヘッドをＰｔ９００からなる係止具を用いて、該ペンダントヘッドがくるくる回ることができるように係止し、ペンダントを作製した。
このようにして得られたペンダントヘッドを正面からと横から見た場合、略同一の形状に見えると共に、同一の輝きを示した。
【産業上の利用可能性】
【００１６】
本発明のペンダントは、同一形状の板状体３枚が、各一辺で互いに１２０度の接合角で接合してなるペンダントヘッド基台の上記各板状体の両面全面に、宝石が散りばめられてなる、上下を除くとどの方向から、例えば正面から見ても、あるいは横から見ても略同じ形に見えると共に、同じ輝きを示すペンダントヘッドを有するので、該ペンダントヘッドを一方向に固定する必要がない。
本発明のペンダントはネックレス・ペンダントやイヤリング・ペンダントとして、あるいはブレスレットのチャーム、携帯電話のストラップ、キーホルダーなどに用いることができる。
【符号の説明】
【００１７】
Ａ  ペンダント基台
１  板状体
２  宝石
３  回転接続部
４  鎖
【図１−ａ】
2011083537.tif 000003
【図１−ｂ】
2011083537.tif 000004
【図２】
2011083537.tif 000005
【図３】
2011083537.tif 000006
【図４】
2011083537.tif 000007
【図５】
2011083537.tif 000008
【図６】
2011083537.tif 000009
【手続補正書】
【提出日】平成22年6月18日(2010.6.18)
【手続補正１】
【補正対象書類名】明細書
【補正対象項目名】０００５
【補正方法】変更
【補正の内容】
【０００５】
本発明者は、前記目的を達成するために鋭意研究を重ねた結果、特定の厚さを有する同一形状の板状体３枚が、各一辺で互いに１２０度の接合角で接合してなるペンダントヘッド基台における、各板状体の全面に設けられた複数の貫通孔に、クラウン部とキューレット部を有する宝石を、隣接する宝石のクラウン部とキューレット部が互い違いになるように挿嵌してなるペンダントヘッドを有するペンダントにより、その目的を達成し得ることを見出し、この知見に基づいて本発明を完成するに至った。
すなわち、本発明は、
（１）垂直線対称である板状体形状の垂直方向半分割体であって、厚さが０.５〜３ｍｍである同一形状の半分割板状体３枚が、各一辺で互いに１２０度の接合角で接合してなるペンダントヘッド基台における、各板状体の全面に設けられた複数の貫通孔に、クラウン部とキューレット部を有する宝石が、隣接する該宝石のクラウン部とキューレット部が互い違いになるように挿嵌され、かつクラウン部が挿嵌される側に残り、キューレット部が、挿嵌される側の反対面に突出してなるペンダントヘッドを有することを特徴とするペンダント、
（２）ペンダントヘッド基台における半分割板状体に挿嵌される宝石が、ダイヤモンドである、上記(１)項に記載のペンダント、
（３）ネックレス用である、上記(１)又は(２)項に記載のペンダント、
（４）ペンダントヘッド基台における半分割板状体が、十字架形状体の垂直方向半分割体である、上記(１)〜(３)項のいずれかに記載のペンダント、及び
（５）ペンダントヘッド基台における半分割板状体が、ハート型形状体の垂直方向半分割体である、上記(１)〜(３)項のいずれかに記載のペンダント、
を提供するものである。
【手続補正２】
【補正対象書類名】特許請求の範囲
【補正対象項目名】全文
【補正方法】変更
【補正の内容】
【特許請求の範囲】
【請求項１】
垂直線対称である板状体形状の垂直方向半分割体であって、厚さが０.５〜３ｍｍである同一形状の半分割板状体３枚が、各一辺で互いに１２０度の接合角で接合してなるペンダントヘッド基台における、各板状体の全面に設けられた複数の貫通孔に、クラウン部とキューレット部を有する宝石が、隣接する該宝石のクラウン部とキューレット部が互い違いになるように挿嵌され、かつクラウン部が挿嵌される側に残り、キューレット部が、挿嵌される側の反対面に突出してなるペンダントヘッドを有することを特徴とするペンダント。
【請求項２】
ペンダントヘッド基台における半分割板状体に挿嵌される宝石が、ダイヤモンドである、請求項１に記載のペンダント。
【請求項３】
ネックレス用である、請求項１又は２に記載のペンダント。
【請求項４】
ペンダントヘッド基台における半分割板状体が、十字架形状体の垂直方向半分割体である、請求項１〜３のいずれかに記載のペンダント。
【請求項５】
ペンダントヘッド基台における半分割板状体が、ハート型形状体の垂直方向半分割体である、請求項１〜３のいずれかに記載のペンダント。